(57)【要約】      （修正有）【課題】平常時は、キャビネット中に隠され、脱出が必要時、ハンガーロッドを取り外し、内部に身を隠し、生存の機会を得ることができるライニング式地震脱出強化キャビネット構造を提供する。【解決手段】ライニング式地震脱出強化キャビネット構造は、キャビネット１に取り付けられるライニング２０及びハンガーロッド２８を含み、ライニングは、少なくとも、左内ドア板及び右内ドア板等の複数の板材から構成され、左内ドア２６は、ライニング左側板２１に枢着し、右内ドア板２７は、ライニング右側板２２に枢着し、左内ドア板及び右内ドア板の外側面にレールソケット２８１を凸設し、ハンガーロッドの両端は、レールソケット内に収容され、左内ドア板及び右内ドア板にノーマルオープン状態を保持させる。【選択図】図１
0003208953.tif 000002
【実用新案登録請求の範囲】
【請求項１】
キャビネットに取り付けるライニング及びハンガーロッドを含み、該ライニングは、少なくとも左内ドア板及び右内ドア板等の複数の板材から構成され、該左内板は、ライニング左側板に枢着し、該右内ドア板は、ライニング右側板に枢着し、該左内ドア板及び該右内ドア板の外側面にレールソケットを凸設し、該ハンガーロッドの両端は、該レールソケット内に収容され、該左内ドア板及び該右内ドア板にノーマルオープン状態を保持させるライニング式地震脱出強化キャビネット構造。
【請求項２】
前記ライニングは、少なくとも、左側板、右側板、後側板、上板、底板から構成され、該後側板の左右両側は、それぞれ該左側板後側及び該右側板後側に接続され、該上板左右両側は、それぞれ該左側板上側及び該右側板の上側に接続され、該上板後側は、該後側板の上側に接続し、該底板左右側は、それぞれ該左側板の底側及び該右側板の底側に接続され、該底板後側は、該後側板の底側に接続される請求項１に記載のライニング式地震脱出強化キャビネット構造。
【請求項３】
前記上板は、上脱出口を開設する請求項２に記載のライニング式地震脱出強化キャビネット構造。
【請求項４】
前記底板は、底脱出口を開設する請求項２に記載のライニング式地震脱出強化キャビネット構造。
【考案の詳細な説明】
【技術分野】
【０００１】
本考案は、地震脱出強化キャビネット構造に関し、特に、キャビネットの強化ライニングに専門に取り付けて組み合わせ、家庭用キャビネットを脱出及び衣類収納とすることができる二用途式地震脱出構造に関する。
【背景技術】
【０００２】
地震は、地殻がエネルギーを急速に放出する過程で起こされる震動であり、震動の強度は、現在マグニチュードで表示を行っている。地震は、地面に垂直又は水平の震動を発生し、更には、火山爆発又は土石流を誘発し、地震が人口密度の高い地区に発生した場合、建築物の崩壊又は室内の家具の転倒により、大量の死傷者を招く。
【０００３】
近年より、人々の防災意識の向上により、様々な脱出用具が研究開発されているが、多くは、人々の平常な生活習慣を変化させる必要があり、膨大な室内空間を占拠する必要があり、最も典型的であるのは、中華民国実用新案登録公告第４７４３６０号の避難小屋であり、該出願は、立方体骨格構造上にそれぞれ嵌合孔を形成し、骨格構造の各面に障壁板を嵌合設置し、下端に開口を設け、該開口に開放し易い蓋体を設置し、同時に上端に弾性蓋を形成し、重量物の押圧時に重量物の押圧を緩衝させ、避難小屋の完全性を維持し、同時に一面上に回転可能なドアを設置し、避難者を進入させ、小屋内には、食物、医薬品等の必須用品を保存することもでき、通気でき、避難者に救援を得るまでの生命時間を維持させることができる。
【０００４】
上記避難小屋は、安定した安全な空間を避難者が救援を待つことに提供しているが、実用性については、地価の高い日本又は台湾等は、上記避難小屋を特別に家の中の明白な場所に設置し、且つ平常にその他の用途とすることができないということは、該避難小屋は空間を十分に占拠して実用的ではない。美観性については、該避難小屋の造形設計は、各家庭のインテリアや装飾の要求に全く応じることができず、該出願の製品化の可能性は極めて低くなっている。
【０００５】
そこで、如何に有効に避難空間を巧妙に一般の家具と組み合わせて共用し、地震の避難時に効果を発揮させるかは、本考案の研究する課題である。
【先行技術文献】
【特許文献】
【０００６】
【特許文献１】中華民国実用新案登録公告第４７４３６０号
【考案の概要】
【考案が解決しようとする課題】
【０００７】
本考案の考案者は、上記の欠陥に鑑み、関連資料を収集し、多方面の評価及び考慮を経て、本業界に従事する長年の経験を累積し、試作及び修正を経て、ようやく本考案を設計している。
【０００８】
本考案の目的は、従来の脱出空間をキャビネットライニングとし、家庭用キャビネットを即時に脱出空間とさせ、平常時に正常なキャビネットの保存性質を発揮でき、脱出空間と家庭用キャビネットを巧妙に一体に組み合わせ、空間利用率を増進させ、室内のインテリアに一致したスタイルを維持させることができるライニング式地震脱出強化キャビネット構造を提供することである。
【課題を解決するための手段】
【０００９】
上記又はその他の目的を達成する為、本考案が提供するライニング式地震脱出強化キャビネット構造は、ライニングとし、キャビネット内部に取り付け又はスリーブ接続し、該ライニングは、少なくとも左側板、右側板、後側板、上板、底板、左内ドア板、右内ドア板、及びハンガーロッドを含み、該後側板の左右両側は、該左側板の後側及び該右側板の後側に接続し、該上板の左右両側は、それぞれ該左板の上側及び該右側板の上側に接続し、該上板の後側は、該後側板の上側に接続し、該底板の左右両側は、それぞれ該左側板の底側及び該右側板の底側に接続し、該底板の後側は、該後側板の底側に接続し、該左ドア板の左側は、該左側板の前側位置に枢着し、該左側辺を軸心として振動を行うことができ、該右内ドア板の右側は、該右側板の前側位置に枢着氏、該右側辺を軸心として振動を行うことができ、該ハンガーロッドは、該左内ドア板の側面及び該右内ドア板の側面に接続し、該左内ドア板及び該右内ドア板にノーマルオープン状態を保持させる。
【００１０】
好適実施例において、該上板に少なくとも１つの上脱出口を開設する。
【００１１】
好適実施例において、該底板に少なくとも１つの底脱出口を開設する。
【００１２】
好適実施例において、該左内ドア板及び該右内ドア板の側面にそれぞれレールソケットを設置し、該ハンガーロッドの両端は、該レールソケット内に収容され、該左内ドア板及び該右内ドア板にノーマルオープン状態を保持させる。
【考案の効果】
【００１３】
本考案の使用時、従来技術と比較し、以下の利点が存在する。本考案のライニング式地震脱出強化キャビネット構造２は、ライニング式でキャビネット１中に隠れ、実用性については、本考案は、キャビネットに脱出避難の別途の用途を備えさせ、且つ室内空間を別途に占有せず、美観性にとって、本考案は、ライニング形態を採用し、一般のキャビネットの如何なる外観造形も変化させず、住居の美観及びスタイルを有効に保持することができる。
【図面の簡単な説明】
【００１４】
【図１】本考案のライニング式地震脱出強化キャビネット構造の好適実施例の立体分解図である。
【図２】本考案のライニング式地震脱出強化キャビネット構造の好適実施例の立体図である。
【図３】本考案のライニング式地震脱出強化キャビネット構造の好適実施例の正面図である。
【図４】本考案のライニング式地震脱出強化キャビネット構造の好適実施例の実施説明図１である。
【図５】本考案のライニング式地震脱出強化キャビネット構造の好適実施例の実施説明図２である。
【考案を実施するための形態】
【００１５】
上記の目的及び効果を達成する為に本考案が採用する技術手段及び構造を分かり易くするため、図面を合わせ、本考案の好適実施例を挙げ、その特徴及びその効果を以下に詳細に説明する。
【００１６】
図１、図２及び図３の開示を参照し、それは、本考案のライニング式地震脱出強化キャビネット構造の好適実施例の立体分解図、立体図及び正面図である。図から明確に分かるように、本考案のライニング式地震脱出強化キャビネット構造２は、平常時一般のキャビネット１中に隠されており、脱出が必要な時、該ハンガーロッド２８を迅速に取り外して本考案中に隠れることができる。
【００１７】
本考案のライニング式地震脱出強化キャビネット構造２は、ライニングとし、キャビネット１内部に取り付けられるか、スリーブ接続され、該ライニング２０は、左側板２１、右側板２２、後側板２３、上板２４、底板２５、左内ドア板２６、右内ドア板２７、及びハンガーロッド２８を含む。
【００１８】
本段の説明では、本考案が構成するライニング２０の各部材の接続関係を説明し、定義を説明する（図１参照）。そのうち、該後側板２３の左右両側は、それぞれ該左側板２１の後側及び該右側板２２の後側に接続する。該上板２４の両側は、それぞれ該左側板２１の上側及び該右側板２２の上側に接続し、該上板２４の後側は、該後側板２３の上側に接続する。該底板２５の左右両側は、それぞれ該左側板２１の底側及び該右側板２３の底側に接続し、該底板２５の後側は、該後側板２３の底側に接続する。該左内ドア板２６の左側辺２６１は、該左側板２１の前側位置に枢着し、該左側辺２６１を軸心として振動することができる。該右内ドア板２６１は、該左側板２１の前側位置に枢着し、該右側辺２７１を軸心として振動することができる。該ハンガーロッド２８は、該左内ドア板２６の側面及び該右内ドア板２７の外側面に接続する。
【００１９】
特に説明すべきこととして、本考案のライニング２０の該左側板２１、該右側板２２、該後側板２３、該上板２４、該底板２５、該左内ドア板２６、及び該右ドア板２７は、バルクの各部材であるか、又は、ライニング２０が一体に組み立て完成された全体部材であることができる。例えば、該左側板２１、該右側板２２、該後側板２３、該上板２４及び該底板２５は、一体に成形されることができるが、これに限定するものではない。
【００２０】
また、前記のライニング２０を構成する該板材材質は、本考案に制限を加えるものではないが、一定の強度の材質（例えば、鉄、鋼又はステンレス）であるか、多種の材質で構成される高強度の複合性板材を採用して形成されることが必要である。
【００２１】
更なる説明として、その内、本考案の上板２４は、少なくとも上脱出口２４１を開設することもでき、且つ該底板２５は、少なくとも１つの底脱出口２５１を対応開設することができる。好ましくは、該左内ドア板２６及び該右内ドア板２７の外側面は、それぞれレールソケット２８１を設置しており、該ハンガーロッド２８の両端は、該レールソケット２８１内に収容し、例えば、該レールソケット２８１末端に開口溝２８１１を有することができ、該ハンガーロッド２８両端は、各端が対応する凹溝２８１１それぞれがレールソケット２８１中に嵌合する。
【００２２】
上記の構造、組成設計により、本考案の使用の動作状況を如何に説明する。図４及び図５に示すように、本考案のライニング式地震脱出強化キャビネット構造の好適実施例の実施説明図１、２である。図から分かるように、本考案のライニング式地震脱出強化キャビネット構造２の平常使用は、該ハンガーロッド２８を該左内ドア板２６及び該右内ドア板２７上に設けられるレールソケット２８１上に嵌め込むことができ、左内ドア板２６及び右内ドア板２７上にノーマルオープン状態を保持させ（図２、図３参照）、このように、該ハンガーロッド２８は、円滑にハンガーを掛けることができ、ハンガーは、衣服、ズボン等の服装を掛けることができる。即ち、平常使用時、本考案のライニング式地震脱出強化キャビネット構造２は、キャビネット１内に隠れ、家の中で如何なる空間も占有することがない。
【００２３】
災害発生時、使用者は、相当短い時間内において、該左内ドア板２６の側面及び該右内ドア板２７の側面に接続されるハンガーロッド２８を迅速に取り外し（図４、図５参照）、続いて、本考案のライニング式地震脱出強化キャビネット構造２内部の空間に身を隠すことができる。続いて、該左内ドア板２６及び該右内ドア板２７の間に一側に脱出口２９を有し、建築物の倒壊に遭遇した時、セメント又は石塊等の重量物が本考案のライニング式地震脱出強化キャビネット構造２によりブロックし、人体上に押圧することがないように保護することができる。
【００２４】
人々は、先ず本考案内部に身を隠し、救援人員の到来を待つことができる。または、本考案の上板２４に開設される上脱出口２４１、底板２５に開設される底脱出口２５１及び該左内ドア板２６及び該右ドア板２７の間に形成される側面脱出口２９を利用し、使用者に状況に応じて自ら該上脱出口２４１、該底脱出口２５１又は該側面脱出口２９から脱出させることができる。
【００２５】
故に、全ての図面を参照し、本考案の使用時、従来技術と比較し、以下の利点が存在する。本考案のライニング式地震脱出強化キャビネット構造２は、ライニング式でキャビネット１中に隠れ、実用性については、本考案は、キャビネットに脱出避難の別途の用途を備えさせ、且つ室内空間を別途に占有せず、美観性にとって、本考案は、ライニング形態を採用し、一般のキャビネットの如何なる外観造形も変化させず、住居の美観及びスタイルを有効に保持することができる。
【００２６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２７】
１  キャビネット
２  ライニング式地震脱出強化キャビネット構造
２１  左側板
２２  右側板
２３  後側板
２４  上板
２４１  上脱出口
２５  底板
２５１  底脱出口
２６  左内ドア板
２６１  左側辺
２７  右内ドア板
２７１  右側辺
２８  ハンガーロッド
２８１  レールソケット
２９  側面脱出口
【図１】
0003208953.tif 000003
【図２】
0003208953.tif 000004
【図３】
0003208953.tif 000005
【図４】
0003208953.tif 000006
【図５】
0003208953.tif 000007
【手続補正書】
【提出日】平成28年12月1日(2016.12.1)
【手続補正１】
【補正対象書類名】実用新案登録請求の範囲
【補正対象項目名】全文
【補正方法】変更
【補正の内容】
【実用新案登録請求の範囲】
【請求項１】
キャビネットに取り付けるライニング及びハンガーロッドを含み、該ライニングは、少なくとも左内ドア板及び右内ドア板等の複数の板材から構成され、
該左内ドア板は、ライニング左側板に枢着し、
該右内ドア板は、ライニング右側板に枢着し、
該左内ドア板及び該右内ドア板の外側面にレールソケットを凸設し、該ハンガーロッドの両端は、該レールソケット内に収容され、該左内ドア板及び該右内ドア板にノーマルオープン状態を保持させるライニング式地震脱出強化キャビネット構造。
【請求項２】
前記ライニングは、さらに、後側板、上板、底板を含み、
該後側板の左右両側は、それぞれ該左側板後側及び該右側板後側に接続され、
該上板左右両側は、それぞれ該左側板上側及び該右側板の上側に接続され、
該上板後側は、該後側板の上側に接続し、
該底板左右側は、それぞれ該左側板の底側及び該右側板の底側に接続され、
該底板後側は、該後側板の底側に接続される請求項１に記載のライニング式地震脱出強化キャビネット構造。
【請求項３】
前記上板は、上脱出口を開設する請求項２に記載のライニング式地震脱出強化キャビネット構造。
【請求項４】
前記底板は、底脱出口を開設する請求項２に記載のライニング式地震脱出強化キャビネット構造。